(57)【要約】【課題】電源コード収納性が良く使い易いふとん乾燥機を提供することを目的とする。【解決手段】本発明のふとん乾燥機は、吸気口２を有した箱形状の本体ケース１と、本体ケース１内には、ファン３と、ヒータ部４と、ホース５とを備えている。本体ケース１の背面には、電源コード６を収納するコード収納部７を備えている。コード収納部７は、電源コード６を収納する内方へ凹んだ窪みである収納空間８と、収納空間８を覆う収納フタ９と、収納フタ９を水平方向に開閉可能に支持する支持部１０と、取手部１１と、収納フタ９を閉じた状態に保持する保持部１３とを備えている。電源コード６は収納空間８内から本体ケース１の外方へ延び、収納フタ９の下部には本体ケース１と収納フタ９との間に電源コード６が通る切欠き部１２を備えたことで、電源コード６の収納性が良く、使用時には電源コード６の引き回しがし易い。【選択図】図１
2017023530.tif 000002
【特許請求の範囲】
【請求項１】
吸気口を有した箱形状の本体ケースと、前記本体ケース内に設けたファンと、このファンの吹き出し空気を加熱するヒータ部と、このヒータ部によって加熱された空気の送風路であるホースと、前記ファンおよび前記ヒータ部と電気的に接続された電源コードと、前記本体ケースの背面に設けた前記電源コードを収納するコード収納部を備え、前記コード収納部は、前記電源コードを収納する前記本体ケースにおける内方へ凹んだ窪みである収納空間と、前記収納空間を覆う収納フタと、前記収納フタを水平方向に開閉可能に支持する支持部と、開閉する際の手掛かりになる取手部と、前記収納フタを閉じた状態に保持する保持部とを備え、前記電源コードは、前記収納空間内から前記本体ケースの外方へ延び、前記収納フタの下部には、前記本体ケースと収納フタとの間に前記電源コードが通る切欠き部を備えたことを特徴とするふとん乾燥機。
【請求項２】
前記支持部は、前記収納フタの左右方向における一方側に配置され、前記収納フタの左右方向における他方側には、前記保持部を配置し、前記保持部は、内面から水平方向に伸びた支持板の先端から上方に伸びた爪と本体ケースに設けた穴を備えたことを特徴とする請求項１に記載のふとん乾燥機。
【請求項３】
前記保持部を前記収納フタの取手部より上側に備えたことを特徴とする請求項２に記載のふとん乾燥機。
【請求項４】
前記収納フタは、前記本体ケースと同一面となる上下方向に延びた第１の面と、前記第１の面の下端から下方向に凸形状の円弧形状を備えたことを特徴とする請求項１〜３のいずれかに記載のふとん乾燥機。
【請求項５】
前記凸形状の円弧形状は、前記保持部側より前記支持部側に円弧径が小さくなっていることを特徴とする請求項４に記載のふとん乾燥機。
【請求項６】
前記支持部は、前記収納フタの上部から前記収納空間内へ延びる上支持板と、前記支持板から上方に延びる上軸と、前記収納フタの下部から前記収納空間内へ延びる下支持板と、前記支持板から下方に延びる下軸と、前記収納空間の上面に設けた前記上軸が入る上孔と、前記収納空間の下面に設けた前記下軸が入る下孔を備え、前記上支持板と前記下支持板とは上下方向に弾性力を備えたことを特徴とする請求項１〜５のいずれかに記載のふとん乾燥機。
【請求項７】
前記下軸の軸長が、前記上軸の軸長より短いことを特徴とする請求項６に記載のふとん乾燥機。
【請求項８】
前記電源コードは、２本の電線部を備え、２本の前記電線部は、上下方向に並んで連結している構成であることを特徴とする請求項１〜７のいずれかに記載のふとん乾燥機。
【請求項９】
前記電源コードの出口位置を前記収納空間の上部としたことを特徴とする請求項１〜８のいずれかに記載のふとん乾燥機。
【請求項１０】
前記電源コードの出口位置を前記収納空間の下部としたことを特徴とする請求項１〜８のいずれかに記載のふとん乾燥機。
【発明の詳細な説明】
【技術分野】
【０００１】
本発明は、ふとんやベットの乾燥や暖めに使用されるふとん乾燥機に関するものである。
【背景技術】
【０００２】
従来、この種のふとん乾燥機は、温風を乾燥マット等に供給してふとん等を乾燥するものが知られている（例えば、特許文献１参照）。
【０００３】
以下、そのふとん乾燥機について図１０と図１１を参照しながら説明する。
【０００４】
図１０に示すように、本体ケース１０１内にファン１０２と熱源部１０３を配置し、温風を出してふとん等を乾燥している。
【０００５】
一方、本体ケース１０１の下部にはコード収納部１０４があり、その内部に電源コード１０５が収納される構成である。
【０００６】
図１１に示すように、コード収納部１０４には電源コード１０５の収納時のとび出し防止用のコード押さえ１０６は、厚肉部１０７と薄肉部１０８からなり、電源コード１０５を収納する時はＡ方向に倒れ、また取り出すときにはＢ方向に倒れ、通常は図示位置を保つような折り曲げ自在な材料を備えていた。
【先行技術文献】
【特許文献】
【０００７】
【特許文献１】実開昭５４−１３８１７３号公報
【発明の概要】
【発明が解決しようとする課題】
【０００８】
このような従来のふとん乾燥機においては、電源コード収納性が悪いという課題を有していた。
【０００９】
そこで本発明は、上記従来の課題を解決するものであり、電源コード収納性が良く、使用時には電源コードの引き回しがし易いふとん乾燥機を提供することを目的とする。
【課題を解決するための手段】
【００１０】
そして、この目的を達成するために、吸気口を有した箱形状の本体ケースと、前記本体ケース内に設けたファンと、このファンの吹き出し空気を加熱するヒータ部と、このヒータ部によって加熱された空気の送風路であるホースと、前記ファンおよび前記ヒータ部と電気的に接続された電源コードと、前記本体ケースの背面に設けた前記電源コードを収納するコード収納部を備え、前記コード収納部は、前記電源コードを収納する前記本体ケースにおける内方へ凹んだ窪みである収納空間と、前記収納空間を覆う収納フタと、前記収納フタを水平方向に開閉可能に支持する支持部と、開閉する際の手掛かりになる取手部と、前記収納フタを閉じた状態に保持する保持部とを備え、前記電源コードは、前記収納空間内から前記本体ケースの外方へ延び、前記収納フタの下部には、前記本体ケースと収納フタとの間に前記電源コードが通る切欠き部を備えたことを特徴とするものであり、これにより所期の目的を達成するものである。
【発明の効果】
【００１１】
本発明によれば、吸気口を有した箱形状の本体ケースと、前記本体ケース内に設けたファンと、このファンの吹き出し空気を加熱するヒータ部と、このヒータ部によって加熱された空気の送風路であるホースと、前記ファンおよび前記ヒータ部と電気的に接続された電源コードと、前記本体ケースの背面に設けた前記電源コードを収納するコード収納部を備え、前記コード収納部は、前記電源コードを収納する前記本体ケースにおける内方へ凹んだ窪みである収納空間と、前記収納空間を覆う収納フタと、前記収納フタを水平方向に開閉可能に支持する支持部と、開閉する際の手掛かりになる取手部と、前記収納フタを閉じた状態に保持する保持部とを備え、前記電源コードは、前記収納空間内から前記本体ケースの外方へ延び、前記収納フタの下部には、前記本体ケースと収納フタとの間に前記電源コードが通る切欠き部を備えたことを特徴とするものである。
【００１２】
これにより、電源コード収納性が良く、使用時には電源コードの引き廻しがし易いという効果を得ることができる。
【図面の簡単な説明】
【００１３】
【図１】本発明の実施の形態１のふとん乾燥機の斜視図
【図２】同ふとん乾燥機の概略断面図
【図３】同ふとん乾燥機のコード収納部拡大図
【図４】同ふとん乾燥機の収納フタの上支持部拡大図
【図５】同ふとん乾燥機の収納フタの下支持部拡大図
【図６】同ふとん乾燥機の収納フタ断面図
【図７】同ふとん乾燥機のコード収納部を示す斜視図
【図８】同ふとん乾燥機のコード収納部を示す図
【図９】本発明の実施の形態２のコード収納部を示す図
【図１０】従来のふとん乾燥機を示す正面断面図
【図１１】従来のふとん乾燥機の要部詳細図
【発明を実施するための形態】
【００１４】
本発明の請求項１記載のふとん乾燥機は、吸気口を有した箱形状の本体ケースと、前記本体ケース内に設けたファンと、このファンの吹き出し空気を加熱するヒータ部と、このヒータ部によって加熱された空気の送風路であるホースと、前記ファンおよび前記ヒータ部と電気的に接続された電源コードと、前記本体ケースの背面に設けた前記電源コードを収納するコード収納部を備え、前記コード収納部は、前記電源コードを収納する前記本体ケースにおける内方へ凹んだ窪みである収納空間と、前記収納空間を覆う収納フタと、前記収納フタを水平方向に開閉可能に支持する支持部と、開閉する際の手掛かりになる取手部と、前記収納フタを閉じた状態に保持する保持部とを備え、前記電源コードは、前記収納空間内から前記本体ケースの外方へ延び、前記収納フタの下部には、前記本体ケースと収納フタとの間に前記電源コードが通る切欠き部を備えた構成を有する。
【００１５】
これにより、電源コード収納性が良く、使用時には電源コードの引き回しがし易いという効果を奏する。
【００１６】
また、請求項２記載のふとん乾燥機は、前記支持部は、前記収納フタの左右方向における一方側に配置され、前記収納フタの左右方向における他方側には、前記保持部を配置し、前記保持部は、内面から水平方向に伸びた支持板の先端から上方に伸びた爪と本体ケースに設けた穴を備えた構成を有する。
【００１７】
これにより、電源コード収納性が良く、使用時に電源コードが引っ張られた際には前記収納フタが開くことで前記電源コードが断線することを回避するという効果を奏する。
【００１８】
また、請求項３記載のふとん乾燥機は、前記保持部を前記収納フタの取手部より上側に備えた構成を有する。
【００１９】
これにより、電源コード収納性が良く、前記収納フタが軽い力で開閉できるという効果を奏する。
【００２０】
また、請求項４記載のふとん乾燥機は、前記収納フタを前記本体ケースと同一面となる上下方向に延びた第１の面と、前記第１の面の下端から下方向に凸形状の円弧形状を備えた構成を有する。
【００２１】
これにより、電源コード収納性が良く、使用時に電源コードが引っ張られた際には前記収納フタのエッジで前記電源コードに傷がつくことがないという効果を奏する。
【００２２】
また、請求項５記載のふとん乾燥機は、前記凸形状の円弧形状を前記保持部側より前記支持部側に円弧径が小さくなる構成を有する。
【００２３】
これにより、電源コード収納性が良く、前記本体ケースと前記収納フタとの間の切欠き部を前記電源コードがスムーズに動くという効果を奏する。
【００２４】
また、請求項６記載のふとん乾燥機は、前記支持部は、前記収納フタの上部から前記収納空間内へ延びる上支持板と、前記支持板から上方に延びる上軸と、前記収納フタの下部から前記収納空間内へ延びる下支持板と、前記支持板から下方に延びる下軸と、前記収納空間の上面に設けた前記上軸が入る上孔と、前記収納空間の下面に設けた前記下軸が入る下孔を備え、前記上支持板と前記下支持板とは上下方向に弾性力を備えた構成を有する。
【００２５】
これにより、前記収納フタが大きく開閉でき、前記収納フタが大きく開いた際に外れ難く、電源コード収納性が良いという効果を奏する。
【００２６】
また、請求項７記載のふとん乾燥機は、前記下軸の軸長が、前記上軸の軸長より短いという構成を有する。
【００２７】
これにより、前記収納フタが少し開いている際に、電源コードが上側に持ち上げられるような外力が加わった際に前記収納フタが外れ易いという効果を奏する。
【００２８】
また、請求項８記載のふとん乾燥機は、前記電源コードは２本の電線部を備え、２本の前記電線部は、上下方向に並んで連結している構成を有する。
【００２９】
これにより、前記電源コードの短径方向の屈曲性により、前記電源コードが断線し難いという効果を奏する。
【００３０】
また、請求項９記載のふとん乾燥機は、前記電源コードの出口位置を前記収納空間の上部とした構成を有する。
【００３１】
これにより、前記収納空間の下部が有効活用できるので電源コード収納性が非常に良いという効果を奏する。
【００３２】
また、請求項１０記載のふとん乾燥機は、前記電源コードの出口位置を前記収納空間の下部とした構成を有する。
【００３３】
これにより、前記収納空間内の前記電源コードの引き廻しがより簡単にでき、使用時に前記電源コードの引き廻しがし易いという効果を奏する。
【００３４】
以下、本発明の実施の形態１について図面を参照しながら説明する。
【００３５】
（実施の形態１）
図１は、本発明の実施の形態１のふとん乾燥機の斜視図である。図２は、本発明の実施の形態１のふとん乾燥機の断面図である。図３は、本発明の実施の形態１のふとん乾燥機のコード収納部を示す図である。図１、３は、本体ケースの背面側から、図２は、本体ケースの前面側から見た図である。
【００３６】
本発明の実施の形態１のふとん乾燥機は、図１、図２および図３に示すように、箱形状の本体ケース１を備え、本体ケース１の一方側側面の下部に吸気口２を有している。
【００３７】
本体ケース１内には、送風手段であるファン３と、ヒータ部４と、ホース５と、ノズル部５Ａとを備えている。
【００３８】
ファン３は、本体ケース１内の下部に配置され、このファン３によって、吸気口２から吸い込んだ空気をヒータ部４へ送風する。
【００３９】
ヒータ部４は、ファン３の上方に配置され、ファン３によって送風された空気を加熱し、温風にする。この温風は、ホース５へ送風される。
【００４０】
ホース５は、円筒形状で、ヒータ部４と連結されている。ホース５は、温風をノズル部５Ａへ送風する送風路である。
【００４１】
ノズル部５Ａは、ホース５の先端に配置され、吹出口５Ｂを備えている。この吹出口５Ｂから、温風が吹き出る。
【００４２】
本体ケース１の背面には、電源コード６を収納できるコード収納部７を備えている。電源コード６は、コード収納部７内から本体ケース１外へ延びている。電源コード６は、ファン３およびヒータ部４と電気的に接続されている。
【００４３】
コード収納部７は、収納空間８と、収納フタ９と、取手部１１と、保持部１３とを備えている。
【００４４】
収納空間８は、電源コード６を収納する空間で、本体ケース１における背面下部に設けられている。収納空間８は、本体ケース１の背面の一部が、本体ケース１における内方へ凹んだ窪みである。
【００４５】
収納フタ９は、横長四角形状の平板で、収納空間８を覆う蓋である。収納フタ９は、収納空間８の開口縁に、支持部１０によって水平方向に開閉自在に設けられている。支持部１０は、収納フタ９を開いた状態で、収納フタ９の左右方向における一方側（本体ケースの背面側から見て右側）に配置されている。
【００４６】
取手部１１は、収納フタ９を開閉する際の手掛かりになる出張りである。取手部１１は、収納フタ９を開いた状態で、収納フタ９の左右方向における他方側（本体ケースの背面側から見て左側）に配置されている。収納フタ９の他方側に短辺中央部が、外方へ盛りあがった凸形状である。
【００４７】
保持部１３は、収納フタ９を閉じた状態に保持するものである。
【００４８】
本実施形態における特徴は、収納フタ９である。収納フタ９は、開閉自在に設けられ、収納フタ９の下部には、本体ケース１と収納フタ９との間に電源コード６が通る横長の隙間である切欠き部１２を備えている点である。
【００４９】
ふとん乾燥機は、部屋に敷かれた布団の乾燥や温めに使用するので、敷かれた布団の近くにふとん乾燥機を運んで使用する。部屋に設置されているコンセントの位置によっては、電源コード６が届き難い場合がある。その場合には、ふとん乾燥機とコンセントとの距離が最短となる方向に電源コード６を伸ばして使用する。そこで、収納フタ９が、電源コード６を通す横長の隙間である切欠き部１２を備えていると、いろいろな方向へ電源コード６を伸ばし易くなる。これにより、電源コード６の収納性が良く、使用時には電源コード６の引き廻しがし易いという効果を得ることができる。
【００５０】
支持部１０は、収納フタ９の左右方向における一方側に配置され、収納フタ９の左右方向における他方側には、保持部１３を配置している。
【００５１】
保持部１３は、保持板１３Ａと、爪１３Ｂと、穴１３Ｃとを備えている。
【００５２】
保持板１３Ａは、収納フタ９の内面から水平方向に伸びた平板板形状である。爪１３Ｂは、保持板１３Ａの先端から上方に伸びた凸形状の突起である。穴１３Ｃは、本体ケース１の収納空間８に設けた横長四角形状の開口である。保持板１３Ａと爪１３Ｂとは、収納フタ９と一体に樹脂成形によって形成しているので、保持板１３Ａは、上下方向に撓む可撓性と、元の位置に戻る弾力性を備えている。
【００５３】
収納フタ９を閉じると、爪１３Ｂが、横長四角形状の開口である穴１３Ｃの上部長辺縁に引っ掛かり、この状態から収納フタ９を開けようとすると、保持板１３Ａの先端が下方に撓むことにより、爪１３Ｂが穴１３Ｃの上部長辺縁から外れるものである。
【００５４】
保持部１３は、収納フタ９の取手部１１より上側に配置されている。これにより、取手部１１に指を掛け、収納フタ９を開けようとすると、収納フタ９の下部が、本体ケース１から離れる。これによって保持部１３は、保持部１３の先端が下がるように傾くので、爪１３Ｂが穴１３Ｃの上部長辺縁から外れ易くなる。
【００５５】
図４は、本発明の実施の形態１のふとん乾燥機の収納フタの上支持部拡大図である。図５は、本発明の実施の形態１のふとん乾燥機の収納フタの下支持部拡大図である。図５は、下方から見た図である。図４および図５に示すように、支持部１０は、上支持部１０Ａと、下支持部１０Ｂとを備えている。
【００５６】
上支持部１０Ａは、上支持板１７と、上軸１８と、上孔（図示せず）と、上支持部補強板１４とを備えている。
【００５７】
上支持板１７は、収納フタ９の上部から収納空間８内へ水平方向に延びる平板形状である。上軸１８は、上支持板１７から上方に延びる円柱形である。上孔（図示せず）は、収納空間８の上面に設けられ、上軸１８が、回動自在に入る円形の開口である。
【００５８】
上支持部補強板１４は、上支持板１７を囲うようなＵ字形状で収納フタ９の上部に内面から水平方向に伸びている。これにより、上支持部１０Ａの水平度と強度を確保している。
【００５９】
下支持部１０Ｂは、下支持板１９と、下軸２０と、下孔（図示せず）と、下支持部補強板１５とを備えている。
【００６０】
下支持板１９は、収納フタ９の上部から収納空間８内へ水平方向に延びる平板形状である。下軸２０は、下支持板１９から下方に延びる円柱形である。下孔（図示せず）は、収納空間８の下面に設けられ、下軸２０が、回動自在に入る円形の開口である。
【００６１】
下支持部補強板１５は、下支持板１９を囲うようなＵ字形状で収納フタ９の下部に内面から水平方向に伸びている。これにより、下支持部１０Ｂの水平度と強度を確保している。
【００６２】
上支持板１７と、上軸１８と、下支持板１９と、下軸２０とは、収納フタ９と一体に樹脂成形によって形成している。これにより、上支持板１７と下支持板１９とは、上下方向に撓む可撓性を備えている。
【００６３】
電源コード６の取り出し、および収納について説明する。
【００６４】
図１、図３に示すように、ふとん乾燥機を運転させる際には、本体ケース１の背面側にある収納フタ９の取手部１１に手を掛けて収納フタ９を開け、収納空間８に収納されている電源コード６を取り出し、電源コード６を全て伸ばし、切欠き部１２に電源コード６を通して収納フタ９を閉じる。
【００６５】
保持部１３は、収納フタ９の取手部１１と収納フタ９の上端とのほぼ中央に設けられたことで、取手部１１に手を掛けて収納フタ９を開ける際に、取手部１１と保持部１３の爪１３Ｂとの距離が近く、取手部１１にかけた操作力がロスなく保持部１３の爪１３Ｂに伝わることで収納フタ９を軽い力で開けることができる。
【００６６】
その後、本体設置および電源コード６を接続し、本体を運転させる。
【００６７】
運転が終了し、電源コード６を収納する際は、取り出しと逆の手順にて、本体ケース１の背面側にある取手部１１に手を掛けて収納フタ９を開け、電源コード６をある程度まとめて、収納空間８に電源コード６を収納する。
【００６８】
その際、収納空間８の容量を電源コード６の体積より大きく設計しているので、電源コード６をきっちりと巻く必要がなく短時間で容易に丸めて収納できる。
【００６９】
また、電源コード６に屈曲性能の高いゴムコードを採用することで断線の恐れを低減している。
【００７０】
収納フタ９の下部には、電源コード６が通る切欠き部１２を備えているので、電源コード６を取り出しおよび収納時以外は、収納フタ９を閉じて設置することができ、外観デザインをそこなうことなくスタイリッシュな雰囲気を演出する。
【００７１】
また、電源コード６が通る切欠き部１２の横幅を本体幅の約４割まで大きくしていることで、電源コード６の引き廻しの自由度が飛躍的に向上し、扱い易いと同時に使い勝手が良いものとなっている。
【００７２】
次に収納フタ９の下部に電源コード６が切欠き部１２を通る際に電源コード６が引っ張られ、上方向に持ち上げるような力が収納フタ９に掛った場合について説明する。
【００７３】
図６は、本発明の実施の形態１のふとん乾燥機の収納フタ断面図である。図６に示すように、収納フタ９を閉じた状態に保持する保持部１３の爪１３Ｂを保持板１３Ａの先端から上方に伸びた形で形成しているので、上方向に持ち上げるような力が収納フタ９に掛った際に収納フタ９の下部が持ち上げられ、収納フタ９は撓み、
取手部１１に手を掛けて収納フタ９を開ける際と同様の方向に力が掛かるので、少しの力で爪１３Ｂが外れ、収納フタ９が開くことで電源コード６が断線することを回避する。
【００７４】
更に上方向に持ち上げるような力が収納フタ９に継続的に掛った際は、下軸２０の軸長を上軸１８の軸長より短くしているため、収納フタ９は下側から外れ易くなっているので、収納フタ９が外れることで、電源コード６に掛るダメージを低減している。
【００７５】
また、収納フタ９の下端から下方向に凸形状の円弧形状１６を備えおり収納フタ９の下端での電源コード６のダメージを低減し、更に保持部１３側より支持部１０側に円弧径を小さくしているので、電源コード６はスムーズに支持部１０側に導かれる。支持部１０側に導かれ、上方向に持ち上げるような力が掛かる場所が収納フタ９の下軸２０に近くなるので更に収納フタ９が外れ易くなり、ダメージ低減効果がある。
【００７６】
次に、収納フタ９が全開している時に、収納フタ９を更に開ける様な方向に外力が加わった場合について図４と図５を参照しながら説明する。
【００７７】
収納フタ９が全開している時に、収納フタ９を更に開ける様な方向に外力が加わった際には、収納フタ９の支持部１０側の中央部分が本体ケース１に当たり、収納フタ９は撓む。
【００７８】
支持部１０である上軸１８と下軸２０は、収納フタ９の上部から収納空間８内へ延びる上支持板１７と収納フタ９の下部から収納空間８内へ延びる下支持板１９に形成しているので、収納フタ９の内面側より上軸１８と下軸２０を収納空間８の上下面に設けた上孔、下孔に押し付ける方向に力が掛り、収納フタ９が外れ難くなる。
【００７９】
また、収納フタ９の樹脂材料として、ＰＰ樹脂を採用することで材料強度を確保し壊れ難くしている。
【００８０】
次に収納フタ９の下部に電源コード６が切欠き部１２を通った後、電源コード６が収納フタ９の左右方向に移動され、電源コード６部分に力が掛った場合について図７と図８を参照しながら説明する。
【００８１】
図７は、本発明の実施の形態１のふとん乾燥機のコード収納部を示す斜視図である。図８は、本発明の実施の形態１のふとん乾燥機のコード収納部を示す図である。図８は、本体ケースにおける背面側から見た図であり、電源コードは、断面を示す図である。
【００８２】
図７、図８に示すように、収納フタ９の下部切欠き部１２を電源コード６が移動する方向を電源コード６の短径方向としているので、電源コード６の短径方向の屈曲性により電源コード６が断線し難くしている。
【００８３】
この点について詳しく説明すると、電源コード６は、収納空間８から本体ケース１における背面側に、水平方向へ延びるように設けられている。収納空間８から延びている電源コード６の１例は、２本の電線部６Ａを並べ連結し、先端にプラグ（図示せず）を備えたものである。２本の電線部６Ａは、上下方向に並んで連結しているので、この電源コード６の電線部６Ａの軸方向（電線が延びる方向）に対する垂直断面形状は、縦長略四角形状となる。このように、２本の電線部６Ａを上下方向に並べると、上下方向に比べ、左右方向に曲がり易くなる。上下方向に曲げようとすると、内側の電線の曲率半径が左右方向に曲げる場合に比べ小さくなるか、捩れながら曲がるので、左右方向に曲げる場合に比べ曲げ難くなる。そして、収納フタ９の下部の切欠き部１２は、左右方向に延びた長四角形状であるので、電源コード６を左右方向へ移動させ易い構成である。
【００８４】
結果として、電源コード６の曲がり易い方向に、切欠き部１２の四角形状が延びているので、切欠き部１２内において、電源コード６を移動させ易い方向（左右方向）が、電源コード６を曲げ易い方向（左右方向）となる。その曲げ易い方向（左右方向）に電源コード６を曲げた場合には、電線部６Ａの曲率半径が大きくなり、電源コード６が断線し難くしている。
【００８５】
また、図８に示すように、電源コード６の出口位置を収納空間８の上部としたことで、収納空間８を有効活用できるので、電源コード収納性が非常に良く、使い勝手が良くなる。
【００８６】
更に、電源コード６の出口部分の周辺部（上部を除く３方向）を盛り上げ電源コード６の可動範囲を制限すると共に大きなＲ形状により電源コード６へのダメージ低減効果がある。
【００８７】
（実施の形態２）
図９において、図８と同様の構成については同一の符号を付し、その詳細な説明は省略する。実施の形態１と相違する点は、図９の電源コード６の出口位置である。図９は、本体ケースにおける背面側から見た図である。電源コードは、断面を示す図である。
【００８８】
図９に示すように、電源コード６の出口位置を収納空間８の下部とした場合の運転準備は、本体ケース１の背面側にある収納フタ９の取手部１１に手を掛けて収納フタ９を開け、収納空間８に収納されている電源コード６を取り出す。そして、電源コード６を全て伸ばし、切欠き部１２に電源コード６を通す際に、電源コード６の収納空間８内の引き廻し方を考える必要がなく、そのまま直線状に延ばすだけで、簡単に電源コード６を切欠き部１２に通し引き廻すことが可能となる。これにより、電源コード６の屈曲がスムーズになることで電源コード６が断線し難くしている。
【産業上の利用可能性】
【００８９】
本発明にかかるふとん乾燥機は、ふとんやベットの乾燥や暖めに使用されるふとん乾燥機等として有用である。
【符号の説明】
【００９０】
１        本体ケース
２        吸気口
３        ファン
４        ヒータ部
５        ホース
６        電源コード
６Ａ      電線部
７        コード収納部
８        収納空間
９        収納フタ
１０      支持部
１１      取手部
１２      切欠き部
１３      保持部
１３Ａ    保持板
１３Ｂ    爪
１３Ｃ    穴
１６      凸形状の円弧形状
１７      上支持板
１８      上軸
１９      下支持板
２０      下軸
【図１】
2017023530.tif 000003
【図２】
2017023530.tif 000004
【図３】
2017023530.tif 000005
【図４】
2017023530.tif 000006
【図５】
2017023530.tif 000007
【図６】
2017023530.tif 000008
【図７】
2017023530.tif 000009
【図８】
2017023530.tif 000010
【図９】
2017023530.tif 000011
【図１０】
2017023530.tif 000012
【図１１】
2017023530.tif 000013